(57)【特許請求の範囲】
【請求項１】
光ガイドパネルを支持するためのフレームであって、
電気絶縁性外周縁部分を含む回路基板に接続され、前記回路基板上に配置された固体光源と、
前記回路基板の表面積よりも大きい表面積を有する電気絶縁性の絶縁層とを備え、
前記絶縁層は、前記フレーム上に配置されており、
前記回路基板は、前記絶縁層の前記絶縁性外周縁部分が、前記回路基板の外側に形成されるように、前記絶縁層上に配置されており、
それにより、前記フレームに対する前記固体光源の二重絶縁をもたらす、フレーム。
【請求項２】
前記回路基板は、６００を超える保証トラッキング指数ＰＴＩを有する材料を含み、前記回路基板の前記電気絶縁性外周縁部分は、３．０ｍｍ、好ましくは１．５ｍｍの最小幅を有する、請求項１に記載のフレーム。
【請求項３】
前記回路基板の前記電気絶縁性外周縁部分は、６００を超えるＰＴＩを有する材料からなる、請求項２に記載のフレーム。
【請求項４】
前記絶縁層は、６００を超えるＰＴＩを有する材料からなり、前記絶縁層の前記絶縁性外周縁部分は、３．０ｍｍ、好ましくは１．５ｍｍの最小幅を有する、請求項１乃至３のいずれか一項に記載のフレーム。
【請求項５】
前記絶縁層は平面状である、請求項１乃至４のいずれか一項に記載のフレーム。
【請求項６】
前記絶縁層は曲がっている、請求項１乃至４のいずれか一項に記載のフレーム。
【請求項７】
前記絶縁層は、前記回路基板の少なくとも１つの端部分の付近で曲がっている、請求項６に記載のフレーム。
【請求項８】
前記絶縁層のうち前記回路基板の前記少なくとも１つの端部分の付近で曲がっている部分は、前記回路基板に固定されている、請求項７に記載のフレーム。
【請求項９】
前記絶縁層は、互いに重なった複数の部品を備える、請求項１乃至８のいずれか一項に記載のフレーム。
【請求項１０】
前記固体光源を駆動するための非絶縁性ドライバを更に備える、請求項１乃至９のいずれか一項に記載のフレーム。
【請求項１１】
前記非絶縁性ドライバは、５００Ｖ以下、好ましくは２５０Ｖ以下のＲＭＳ動作電圧を有する交流電圧によって給電されるように構成されている、請求項１０に記載のフレーム。
【請求項１２】
請求項１乃至１１のいずれか一項に記載のフレームと、
前記フレームによって支持された光ガイドパネルとを備え、
固体光源は、前記光ガイドパネルの側面に光を結合するように構成されている照明器具。
【請求項１３】
前記光ガイドパネルを前記フレームに固定するように構成されたリムを更に備える、請求項１２に記載の照明器具。
【請求項１４】
前記リムには、電気絶縁性の絶縁層が設けられており、前記リムの前記絶縁層と前記絶縁層とは、前記リムが前記光ガイドパネルを前記フレームに固定すると、重なり合うように構成されている、請求項１３に記載の照明器具。
【発明の詳細な説明】
【技術分野】
【０００１】
本発明は概して、光ガイドパネルを支持するためのフレームに関する。本発明はまた、フレームを備える照明器具に関する。
【背景技術】
【０００２】
エネルギー、特に電気の使用の削減という国際的な必要性及び願望が、より高いエネルギー効率の光源の開発を急速に進展させている。固体光源ベースのランプ、いわゆる固体照明ランプ（solid state lighting lamp；ＳＳＬランプ）が、従来の白熱光源及び蛍光管と比較してエネルギー消費が少ないため、常になお一層注目されている。ＳＳＬランプの典型的な例は、様々な種類の発光ダイオード（light emitting diode；ＬＥＤ）に基づく光源である。そのような光源は通常、ＬＥＤランプと呼ばれる。ＬＥＤランプは、典型的なＬＥＤランプによる光束が増加する一方で、エネルギー効率が次第に高くなっている。その上、ＬＥＤランプは長い動作寿命を有する。一例として、ＬＥＤランプは、蛍光管の動作寿命の最大１０倍に及ぶ１０００００時間にわたって持続する場合がある。光束が増加し、エネルギー消費も低いことで、ＬＥＤランプは、常に増え続けている多くの用途で使用される。
【０００３】
例えば、オフィス空間及び住居空間内の天井に組み込まれた照明器具が、それらの概して少ないエネルギー消費、多くの光束、及び組み込み性のために、常になお一層注目されている。いわゆる光ガイドパネルは、通常、天井に組み込まれ、空間を照明すると同時に天井パネルとして機能する。光ガイドパネルは、概して、光ガイドとして機能するプレート又はスラブであり、典型的に、ＬＥＤランプによって側面が照明され、それによってプレート内で光を伝達又は案内する。照明される空間、又は部屋に面する光ガイドパネル、又はプレートの表面は典型的に、当該空間又は部屋を照明するために光をカップルアウトする何らかの形態の構造、又は、粗さを伴って利用される。光ガイドとして機能するプレート又はスラブは、典型的に、通常金属製のフレームによって支持される。
【発明の概要】
【発明が解決しようとする課題】
【０００４】
光ガイドパネルを使用する照明器具において、使用されるＳＳＬ光源に給電するために、通常、ドライバが利用される。ドライバは場合によって、照明器具のフレームに組み込まれ、したがってフレームによって支持される。通常、ドライバが電源電圧を供給されるときには、特定の安全規制が満たされ、準拠される必要がある。関連する安全要件を満たすための異なる手法がある。そのような手法には通常、望ましくない様々なコストが付随しており、このため、光ガイドパネルを使用する照明器具及びフレームに関連する製造コストを削減したいという願望がある。
【課題を解決するための手段】
【０００５】
本発明の第１の態様によれば、上記は、光ガイドパネルを支持するためのフレームによって少なくとも部分的に緩和され、フレームは、電気絶縁性外周縁部分を含む回路基板に接続され、回路基板上に配置された固体光源と、回路基板の表面積よりも大きい表面積を有する電気絶縁性の絶縁層とを備え、絶縁層は、フレーム上に配置されており、回路基板は、絶縁層の絶縁性外周縁部分が、回路基板の外側に形成されるように、絶縁層上に配置されており、それにより、フレームに対する固体光源の二重絶縁をもたらす。
【０００６】
本開示により、光ガイドパネルを支持するための改良されたフレームが得られる。本開示によるフレームは、フレーム自体に対する固体光源（ＳＳＬ光源）の二重絶縁をもたらす。フレームに対するＳＳＬ光源の二重絶縁をもたらすことにより、非絶縁性ドライバが、例えば、関連する安全要件を依然として満たしながら使用され得る。したがって、改良されたフレームは、例えば、二重絶縁され、低出力電圧を使用するＳＥＬＶドライバと比較して、どちらかといえば安価で小さなドライバの使用を可能にする。
【０００７】
フレームに対する固体光源の二重絶縁は、絶縁層とともに、回路基板及び回路基板の電気絶縁性外周縁部分によって達成される。回路基板は、絶縁層の絶縁性外周縁部分が、回路基板の外側に形成されるように、絶縁層上に配置される。つまり、２つの絶縁性外周縁部分が、ＳＳＬ光源からフレームを分離し、それによって二重絶縁をもたらす。絶縁層は、単一の連続した層で形成されてもよく、又は複数の部品から形成されてもよい。
【０００８】
本出願の文脈において、用語「絶縁性外周縁部分」は、ある程度の電気絶縁をもたらす、任意の材料の任意の部分であり得ることに留意されたい。絶縁性外周縁部分は、絶縁される物体の周縁全体に沿って延びる。電気絶縁性の外周縁部分を含む回路基板の場合、回路基板は、典型的に、周縁全体に沿って構成要素又はリード線を有していない部分を含み得る。つまり、回路基板の電気絶縁性外周縁部分は、典型的に、電流を伝達し得るものが何もないであろう。したがって、回路基板の絶縁性外周縁部分は、典型的に、回路基板の非導電性基材によって形成される。絶縁層の場合、絶縁層は典型的に、絶縁性外周縁部分を形成するように、絶縁される物体の周縁全体に沿って、絶縁される物体の外側に延びてもよい。したがって、絶縁性外周縁部分は、典型的に、いかなる構造、物体、又は類似物もない。絶縁性外周縁部分の幅が、周縁に沿って変化してもよい。
【０００９】
回路基板は、６００を超える保証トラッキング指数ＰＴＩ（proof tracking index）を有する材料を含んでもよく、回路基板の電気絶縁性外周縁部分は、３．０ｍｍ、好ましくは１．５ｍｍの最小幅を有してもよい。この構成により、規格ＩＥＣ６０１１２による基本絶縁に該当する絶縁が、５００ボルトを超えないＲＭＳ動作電圧について、回路基板によって達成され得る。１．５ｍｍの最小幅を有することで、規格ＩＥＣ６０１１２による基本絶縁に該当する絶縁が、２５０ボルトを超えないＲＭＳ動作電圧について達成され得る。したがって、関連する安全要件が満たされ得る。回路基板は、他のＰＴＩを有する他の材料を含んでもよいことに留意されたい。例えば、金属コアプリント回路基板ＭＣＰＣＢ（metal core printed circuit board）の場合、回路基板は金属を含み、金属自体は導電性である。
【００１０】
上記の規格による基本絶縁に該当するために、２つの基準を満たす必要がある。第１の基準は、材料が十分な電気絶縁をもたらすことである。５００ボルトを超えないＲＭＳ動作電圧の場合、６００を超える保証トラッキング指数（ＰＴＩ）を有する材料で十分である。また、２５０ボルトを超えないＲＭＳ動作電圧の場合も同様である。第２の基準は、十分な沿面距離が設けられることである。５００ボルトを超えないＲＭＳ動作電圧の場合、３．０ｍｍの沿面距離で十分である。２５０ボルトを超えないＲＭＳ動作電圧の場合、１．５ｍｍの沿面距離で十分である。他の電圧の場合、他のＰＴＩ及び沿面距離が要求される（国際規格ＩＥＣ６０１１２を参照）。
【００１１】
回路基板の電気絶縁性外周縁部分は、６００を超えるＰＴＩを有する材料からなってもよく、このことは、外周縁部分によって十分な絶縁がもたらされ得る点で有利である。つまり、６００を超えるＰＴＩを有する材料からなる回路基板の絶縁性外周縁部分を有することにより、国際規格ＩＥＣ６０１１２は、２５０ボルト又は５００ボルトを超えないＲＭＳ動作電圧について準拠され得る。
【００１２】
絶縁層は、６００を超えるＰＴＩを有する材料からなってもよく、絶縁層の絶縁性外周縁部分は、３．０ｍｍ、好ましくは１．５ｍｍの最小幅を有してもよい。この構成により、規格ＩＥＣ６０１１２による基本絶縁に該当する絶縁が、５００ボルトを超えないＲＭＳ動作電圧について回路基板によって達成され得る。１．５ｍｍの最小幅を有することで、規格ＩＥＣ６０１１２による基本絶縁に該当する絶縁が、２５０ボルトを超えないＲＭＳ動作電圧について達成され得る。したがって、関連する安全要件が満たされ得る。
【００１３】
絶縁層は平面状でもよく、このことは、絶縁層がフレーム又は回路基板の平坦部分上に配置され得る点で有利である。
【００１４】
絶縁層は曲がっていてもよく、このことは、絶縁層が、様々な輪郭及び形状のフレーム、又は、回路基板にフィットするように適合され得る点で有利である。その上、絶縁層は、フレーム又は回路基板の複数の表面に絶縁をもたらすように曲がっていてもよい。したがって、絶縁層は、好ましくは、曲がっていても、絶縁性を損なうことがない可撓性層でもよい。絶縁層は、曲がった形状で作製されてもよい。
【００１５】
絶縁層は、回路基板の少なくとも１つの端部分の付近で曲がっていてもよく、このことは、フレームに対する固体光源の二重絶縁が、有効かつ確実な方法で達成され得る点で有利である。
【００１６】
絶縁層のうち回路基板の少なくとも１つの端部分の付近で曲がっている部分は、回路基板に固定されてもよく、このことは、絶縁層の望ましくない誤配置又は移動が抑制され得る点で有利である。
【００１７】
絶縁層は、互いに重なった複数の部品を備え得る。複数の部品を備える絶縁層を設けることにより、絶縁層の異なる部品は、例えば照明器具の、異なる構成要素又は部品上に配置され、それに固定され得る。したがって、絶縁層の異なる部品は、例示された照明器具の異なる構成要素又は部品を組み立てる際に、重なり合うように配置され得る。したがって、重なりは、絶縁層の異なる部品が電気絶縁の観点で、単一の絶縁層として作用し得るように構成され得る。好ましくは、重なりは、１．５ｍｍ、より好ましくは３．０ｍｍの最小の重なりを有する。絶縁層の異なる部品を少なくとも１．５ｍｍだけ重ね合わせることにより、規格ＩＥＣ６０１１２による、基本絶縁に該当する組み合わされた単一の絶縁層が、そのように組み合わされた絶縁層、すなわち絶縁層の異なる部品を備える絶縁層により、２５０ボルトを超えないＲＭＳ動作電圧について得られ得る。絶縁層の異なる部品を少なくとも３．０ｍｍだけ重ね合わせることにより、規格ＩＥＣ６０１１２による、基本絶縁に該当する組み合わされた単一の絶縁層が、そのように組み合わされた絶縁層、すなわち絶縁層の異なる部品を備える絶縁層により、５００ボルトを超えないＲＭＳ動作電圧について得られ得る。
【００１８】
絶縁層は、ＰＩフィルム（カプトン（登録商標）など）及び繊維ガラスからなる群から選ばれる材料を含んでもよく、又はそれから形成されてもよく、このことは、効率的な電気絶縁が、どちらかといえば薄い層によって達成され得るという点で有利である。
【００１９】
絶縁層は、０．０５ｍｍ〜０．２５ｍｍの範囲内の厚さを有してもよく、このことは、絶縁層を通じた所望の熱伝導率が達成され得るという点で有利である。
【００２０】
フレームは更に、固体光源を駆動するための非絶縁性ドライバを備えてもよく、このことは、関連する安全要件を依然として満たしながら、より小さく、より安価なドライバが使用され得るという点で有利である。「非絶縁性ドライバ」とは、当該技術分野で周知のように、入力側と出力側との間に、ガルバニック絶縁を有していないドライバを意味する。
【００２１】
非絶縁性ドライバは、５００Ｖ以下、好ましくは２５０Ｖ以下のＲＭＳ動作電圧を有する交流電圧によって給電されるように構成されてもよい。
【００２２】
本発明の第２の態様によれば、上述された種類のフレームと、フレームによって支持された光ガイドパネルとを備える照明器具であって、固体光源は、光ガイドパネルの側面に光を結合するように構成されている、照明器具が提供される。フレームには、上述されたような固体光源が設けられる。
【００２３】
本発明のこの第２の態様の特徴は、本発明の第１の態様に関して上述されたのと同様の利点をもたらす。
【００２４】
本出願の文脈内で、用語「光ガイドパネル」は、光ガイドとして機能するのに適した任意のパネル、物体、プレート、スラブ、又は同様のものであり得ることに留意されたい。つまり、光を伝達するのに適した任意のパネル、物体、プレート、スラブ、又は同様のものが使用され得る。光ガイドパネルは、透明、半透明又は透光性の材料で作られてもよく、いくつかの例が与えられる。好適な材料の例は、ガラス、プラスチック、及びセラミックである。光ガイドパネルには有利には、当該技術分野で知られているような、光ガイドパネルからの光を結合するための何らかの形態の構造、粗さ、又は同様のものが設けられてもよい。更に、光ガイドパネルは、例えば、グレアを低減するための、追加の層を備えてもよい。光ガイドパネルの裏側には、当該技術分野で知られているような金属コーティングなどの反射性コーティングが設けられてもよい。
【００２５】
典型的には、固体光源は、光ガイドパネルの側面に光を結合するように構成される。このことは、例えば、ＬＥＤなどのＳＳＬランプによって光ガイドパネルの側面を照明することによって達成され得る。これにより、光ガイドパネルは、パネル内で光を伝達又は案内する。
【００２６】
照明器具は更に、光ガイドパネルをフレームに固定するように構成されたリムを備えてもよく、このことは、光ガイドパネルがフレームにしっかりと固定され得るという点で有利である。
【００２７】
リムには、電気絶縁性の絶縁層が設けられてもよく、リムの絶縁層とフレームの絶縁層とは、リムが光ガイドパネルをフレームに固定すると、重なり合うように構成されてもよい。この構成により、リムの絶縁層とフレームの絶縁層とは、フレームとリムを組み立てる際に重なり合うように構成され得る。したがって、重なりは、リムの絶縁層及びフレームの絶縁層が電気絶縁の観点で単一の絶縁層として作用し得るように構成され得る。好ましくは、重なりは、１．５ｍｍ、より好ましくは３の最小の重なりを有する。リムの絶縁層と絶縁層を少なくとも１．５ｍｍだけ重ね合わせることにより、規格ＩＥＣ６０１１２による基本絶縁に該当する、組み合わされた単一の絶縁層が、そのように組み合わされた絶縁層、すなわち、絶縁層、リムの絶縁層及び絶縁層によって、２５０ボルトを超えないＲＭＳ動作電圧について達成され得る。絶縁層の異なる部品を少なくとも３．０ｍｍだけ重ね合わせることにより、規格ＩＥＣ６０１１２による基本絶縁に該当する、組み合わされた単一の絶縁層が、そのように組み合わされた絶縁層、すなわち絶縁層の異なる部品を備える絶縁層によって、５００ボルトを超えないＲＭＳ動作電圧について達成され得る。
【００２８】
本発明の更なる適用範囲が、以下に記載される「発明を実施するための形態」から明らかとなるであろう。しかしながら、「発明を実施するための形態」及び特定の実施例は、本発明の好ましい実施形態を示すものであるが、当業者には、この「発明を実施するための形態」から本発明の範囲内の様々な変更形態、及び修正形態が明らかなものとなるため、例示としてのみ記載されている点を理解されたい。
【００２９】
したがって、説明されたデバイスは変更され得るため、本発明は、そのようなデバイスの特定の構成要素部品に限定されるものではない点を理解されたい。また、本明細書で使用される用語は、特定の実施形態を説明することのみを目的とするものであり、限定することを意図するものではない点も理解されたい。本明細書及び添付の請求項で使用されるとき、冠詞「１つの（a）」、「１つの（an）」、「その（the）」、及び「前記（said）」は、文脈が明確にそうではないことを指示しない限り、それらの要素の１つ以上が存在することを意味するように意図されている点が、留意されなければならない。それゆえ、例えば、「１つのユニット（a unit）」又は「そのユニット（the unit）」への言及は、いくつかのデバイスなどを包含し得る。更には、単語「備える（comprising）」、「含む（including）」、「含有する（containing）」、及び同様の表現は、他の要素又は他のステップを排除するものではない。
【図面の簡単な説明】
【００３０】
次に、本発明の上述の態様及び他の態様が、本発明の実施形態を示す添付図面を参照して、より詳細に説明される。図は、本発明を特定の実施形態に限定するものと見なされるべきではなく、むしろ、図は、本発明を説明及び理解するために使用される。
【図１】フレームに対する固体光源の二重絶縁の断面を概念的に示す。
【図２ａ】異なる実施形態による、フレームに対する固体光源の二重絶縁の断面を概念的に示す。
【図２ｂ】異なる実施形態による、フレームに対する固体光源の二重絶縁の断面を概念的に示す。
【図２ｃ】異なる実施形態による、フレームに対する固体光源の二重絶縁の断面を概念的に示す。
【図３】フレームと、フレームによって支持された光ガイドパネルとを備える照明器具の断面を概念的に示す。
【００３１】
図で示されるように、層及び領域のサイズは、例示の目的のために誇張されており、それゆえ、本発明の実施形態の一般的な構造を例示するように提供されている。同様の参照符号は、全体を通して、同様の要素を指す。
【発明を実施するための形態】
【００３２】
本発明は、本発明の好適な実施形態が示されている添付図面を参照して、以降でより完全に説明される。しかしながら、本発明は、多くの異なる形態で具現化されてもよく、本明細書に記載される実施形態に限定されるとして解釈されるべきではなく、むしろ、実施形態は、完全性及び網羅性のために提供され、当業者に本発明の範囲を完全に伝達するものである。同様の参照文字が、全体を通して同様の要素を指す。
【００３３】
図面、特に図１を参照すると、ここでは、フレーム１００に対する固体光源１０２の二重絶縁がどのように達成され得るかが断面図に概念的に示されている。フレーム１００は、アルミニウム製の金属フレームであり得る。しかし、フレーム１００に他の金属が使用されてもよい。フレーム１００は典型的に、それぞれの端部分で互いに接合されて正方形又は長方形のフレームを形成する４つの輪郭部を含む。しかし、フレーム１００は、それぞれの端部分で互いに接合されて三角形のフレームを形成する３つの輪郭部を含んでもよい。更に、フレーム１００は、それぞれの端部分で互いに接合されて多角形フレームを形成する複数の輪郭部を含んでもよい。
【００３４】
固体光源１０２（ＳＳＬ１０２）は、図示の実施形態においてＬＥＤ光源１０２であり、ＬＥＤダイ１０２ａから光が放射される。ＬＥＤダイ１０２ａは、オプションとしてレンズ１０２ｂによって覆われてもよい。ＬＥＤ光源１０２を補助又は補完するために、他の種類の固体光源１０２が使用されてもよい。ＬＥＤ光源１０２は、回路基板１０４上に配置される。ＬＥＤ光源１０２及び回路基板１０４は典型的に、当該技術分野で知られているようなＬ２パッケージを形成する。したがって、固体光源１０２は、回路基板１０４に接続され、その上に配置される。回路基板１０４は、電気絶縁性外周縁部分１０４ａを備える。周縁部分１０４ａは、回路基板１０４の周縁全体に沿って延びる。絶縁性外周縁部分１０４ａは、いかなる構成要素、リード線、又は他の導電性構造も欠いている。また、ＬＥＤライト１０２の設置領域は、絶縁性外周縁部分１０４ａから除外される。絶縁性外周縁部分１０４ａは、幅ｗｃ１、ｗｃ２を有する。絶縁性外周縁部分１０４ａの幅ｗｃ１、ｗｃ２は、回路基板１０４の周縁に沿って変化してもよい。図１に図示された実施形態において、絶縁性外周縁部分１０４ａは、幅ｗｃ２を有する下側部分よりも広い幅ｗｃ１を上側部分に有する。
【００３５】
回路基板１０４とフレーム１００との間には、電気絶縁性の絶縁層１０６が設けられる。絶縁層１０６の表面積は、回路基板１０４の表面積よりも大きい。回路基板は、絶縁層１０６の絶縁性外周縁部分１０６ａが回路基板１０４の外側に形成されるように、絶縁層１０６上に配置される。周縁部分１０６ａは、絶縁層１０６の周縁全体、したがって回路基板１０４の外側に沿って延びる。絶縁性外周縁部分１０６ａは、いかなる構成要素、リード線、又は他の導電性構造も欠いている。つまり、回路基板１０４の設置領域は、絶縁性外周縁部分１０６ａから除外される。絶縁性外周縁部分１０６ａは、幅ｗｉを有する。絶縁性外周縁部分１０６ａの幅ｗｉは、絶縁層１０６の周縁に沿って変化してもよい。図１に図示された実施形態において、絶縁性外周縁部分１０６ａは、一定の幅ｗｉを有する。
【００３６】
絶縁性外周縁部分１０４ａを含む回路基板１０４及び絶縁性外周縁部分１０６ａを含む絶縁層１０６の上述された構成は、フレーム１００に対する固体光源１０２の二重絶縁をもたらす。
【００３７】
図１に図示された構成において、回路基板１０４は、６００を超える保証トラッキング指数ＰＴＩを有する材料を含み、回路基板１０４の電気絶縁性外周縁部分１０４ａは、１．５ｍｍの最小幅ｗｃ２を有する。回路基板１０４は、例えば、ＭＣＰＣＢ、ＣＥＭ１、又はＣＥＭ３を備えてもよく、これらは全て、６００を超える保証トラッキング指数ＰＴＩを有する好適な材料を含む。材料の組合せもまた、回路基板１０４に使用されてもよい。
【００３８】
図１に図示された実施形態において、回路基板１０４の基材又はキャリアは、ＭＣＰＣＢである。更に、回路基板１０４の基材又はキャリアは、代替的に、ＣＥＭ１又はＣＥＭ３でもよい。更に、回路基板１０４の基材又はキャリアは、ＭＣＰＣＢ、ＣＥＭ１及びＣＥＭ３のうちの２つ以上の組合せでもよい。
【００３９】
更に、図１に図示された実施形態において、電気絶縁性外周縁部分はＭＣＰＣＢからなる。つまり、回路基板の外周縁部分は、６００を超えるＰＴＩを有する材料からなる。回路基板１０４の基材又はキャリアと同様に、外周縁部分１０４ａは代替的に、ＣＥＭ１又はＣＥＭ３でもよい。更に、外周縁部分１０４ａは、ＭＣＰＣＢ、ＣＥＭ１、及びＣＥＭ３のうちの２つ以上の組合せでもよい。
【００４０】
図１に図示された構成において、絶縁層１０６は、６００を超えるＰＴＩを有する材料からなり、絶縁層１０６の絶縁性外周縁部分１０６ａは、１．５ｍｍの最小幅ｗｉを有する。図１に図示された実施形態において、絶縁層１０６はカプトン（登録商標）で作られる。更に、絶縁層１０６は有利には、ＰＩフィルム（カプトン（登録商標）など）若しくはガラス繊維、又はそれらの組合せで作られ得る。材料は、６００を超える保証トラッキング指数ＰＴＩを有する好適な材料である。
【００４１】
図１に見られるように、図１に図示された実施形態の絶縁層１０６は、平面層である。しかし、絶縁層１０６は、例えば、フレーム１００及び／又は回路基板１０４の形状に従うように曲がっていてもよい。絶縁層１０６は有利には、フレーム１００と回路基板１０４との間に配置され、フレーム１００及び回路基板１０４の形状に従う。しかし、絶縁層１０６は、当該用途に適した他の形状を有するように曲がっていてもよい。したがって、絶縁層１０６は、可撓性であってもよく、又は意図された形状に予め成形され、すなわち予め曲げられていてもよい。
【００４２】
フレーム１００に対する固体光源１０２の二重絶縁がどのように達成され得るかを例示する実施形態が、図２ａ〜図２ｃを参照してより詳細に説明される。特に、図２ａ〜図２ｃは、図１の回路基板１０４及びフレーム１００に対して絶縁層１０６を配置する異なる例示的なやり方を断面図に示す。つまり、図２ａ〜図２ｃは、絶縁層１０６の構成を除いて同様である。このため、図２ａ〜図２ｃの間の違いが説明される。図２ａ〜図２ｃは、光ガイドパネル１２０を支持するためのフレーム１００を開示している。光ガイドパネル１２０は、回路基板１０４及びフレーム１００に対する絶縁層１０６の構成を不明瞭にしないように、意図された位置に仮想線で示されている。更に、図２ａ〜図２ｃは、光ガイドパネル１２０をフレーム１００に固定するように構成されたリム１２２を開示している。リム１２２は、回路基板１０４及びフレーム１００に対する絶縁層１０６の構成を不明瞭にしないように、意図された位置から、すなわち、リム１２２が光ガイドパネル１２０を固定する位置から、わずかに移動された位置に仮想線で示されている。
【００４３】
フレーム１００、固体光源１０２、回路基板１０４、及び絶縁層１０６は、上記の図１に関して開示された種類のものである。したがって、これらの要素は、過度の繰り返しを避けるために再び説明されない。
【００４４】
図２ａを参照すると、ここでは、フレーム１００及びリム１２２にフィットするために、絶縁層１０６がどのようにＬ字形に曲がっているかが概念的に示されている。絶縁層１０６は、Ｌ字形を有するように予め曲げられていてもよく、又は、リム１２２が光ガイドパネル１２０を固定するために意図された位置に導入されるときに、リム１２２によって曲げられる可撓性層でもよい。つまり、絶縁層１０６は、予め曲げられていてもよく、又は組立中に曲げられてもよい。図２ａの絶縁層１０６のＬ字形の構成により、フレーム１００に対する固体光源１０２の二重絶縁が達成され得る。
【００４５】
図２ｂを参照すると、ここでは、絶縁層１０６が互いに重なった複数の部品をどのように備えるかが概念的に示されている。図２ｂに図示された実施形態において、絶縁層１０６は２つの部品を備える。絶縁層１０６の第１の部品が、フレーム１００の一部分の付近でＪ字様の形状で曲がっており、第２の部品がリム１２２に取り付けられる。図２ｂに図示された実施形態において、絶縁層１０６の第１の部品は、Ｊ字様の形状を有するように予め曲げられていてもよく、又は最終形状を有するようにその場で曲げられる可撓性層でもよい。有利には、絶縁層１０６の第１の部品は、絶縁層１０６が望ましくない位置で終端したり、望ましくない方法で曲がったりすることを抑制するように、フレーム１００に固定される。有利には、絶縁層１０６の第２の部品は、リム１２２に固定される。絶縁層１０６の第２の部品は、リム１２２が光ガイドパネル１２０をフレーム１００に固定すると、すなわち、リム１２２が意図された位置に固定されると、絶縁層１０６の第１の部品と絶縁層１０６の第２の部品とが重なり合うように、リム１２２上に設けられる。
【００４６】
図２ｂの絶縁層の第２の部品とともに、絶縁層１０６の第１の部品のＪ字様の形状の構成により、フレーム１００に対する固体光源１０２の二重絶縁が達成され得る。任意数の部品が絶縁層１０６を形成し得ることに留意されたい。例えば、いくつかの非限定的な例を与えるために、３、５又は１０個の部品が使用されてもよい。
【００４７】
図２ｃを参照すると、ここでは、絶縁層１０６が回路基板１０４の端部分の付近で、どのように曲がっているかが概念的に示されている。絶縁層１０６のうち、回路基板１０４の端部分の付近で曲がっている部分は、回路基板１０４に固定される。この構成により、フレーム１００に対する回路基板１０４の取り付けが容易となり得る。その上、絶縁層１０６の固定は、絶縁層１０６が望ましくない位置で終端したり、望ましくない方法で曲がったりすることを抑制し得る。回路基板の端部分の付近で絶縁層１０６が曲がっていることで、回路基板１０４の側面の少なくとも一部分と、回路基板１０４の前面の少なくとも一部分とが絶縁層１０６によって覆れることになる。図２ｃの絶縁層１０６が回路基板１０４の少なくとも１つの端部分の付近で曲がっていることにより、フレーム１００に対する固体光源１０２の二重絶縁が達成され得る。
【００４８】
図３を参照すると、ここでは、照明器具１３０が断面図に概念的に示されている。照明器具１３０は、上述された種類のフレーム１００と、フレーム１００によって支持された光ガイドパネル１２０とを備える。照明器具は更に、光ガイドパネル１２０をフレーム１００に固定するリム１２２を備える。
【００４９】
図３にてフレーム１００のうち左側に図示された部品において、絶縁層１０６は、図２ｃと同じように構成されており、すなわち、絶縁層１０６は、回路基板１０４の端部分の付近で曲がっている。更に、フレーム１００のうち左側に図示された部品は、図１及び図２ｃに関連して上述されたように、固体光源１０２及び回路基板１０４によって利用される。固体光源１０２は、光ガイドパネル１２０の側面に光を結合するように構成される。このため、固体光源１０２は、図３に示されるように、光ガイドパネル１２０の側面の方に向けられる。
【００５０】
照明器具１３０のフレーム１００は更に、固体光源１０２を駆動するための非絶縁性ドライバ１２４を備える。図３に図示された照明器具１３０において、ドライバ１２４は、フレーム１００のうち右側に図示された部品に設けられる。ドライバ１２４は、ドライバ１２４の追加が照明器具１３０の物理的寸法に影響を及ぼさないように、フレーム１００によって形成された空間内に設けられる。図３に図示された実施形態において、ドライバ１２４は、２５０Ｖ以下のＲＭＳ動作電圧を有する交流電圧によって給電されるように構成される。典型的に、ドライバ１２４は、管轄に応じて２３０Ｖ又は１１０ＶのＲＭＳ動作電圧を有する電源によって給電される。ＲＭＳ動作電圧を２５０Ｖ以下に維持することにより、国際規格ＩＥＣ６０１１２を満たす、フレーム１００に対する固体光源１０２の二重絶縁が、非絶縁性ドライバ１２４が使用されるにもかかわらず、電気絶縁性外周縁部分１０４ａ及び絶縁層１０６を有する回路基板１０４によって達成される。絶縁性ドライバが代替的に使用されてもよい。
【００５１】
更に、絶縁性外周縁部分１０４ａ及び絶縁層１０６を有する回路基板１０４は、上記の例示された基本絶縁レベルよりも高い絶縁レベルをもたらし得ることを理解されたい。その場合、関連する安全要件を依然として満たしながら、より高いＲＭＳ動作電圧が使用され得る。
【００５２】
本発明が、特定の実施形態を参照して説明されてきたが、多くの異なる変更形態、修正形態などが当業者には明らかとなるであろう。例えば、光ガイドパネル１２０の異なる側面を照明するために、複数の固体光源１０２が使用されてもよいことを理解されたい。固体光源の数は、照明器具１３０の一般的な設計とは関係なく大きく変更されてもよい。
【００５３】
その上、絶縁層１０６の材料、厚さ、熱伝導率、構造等が大きく変更されてもよい。例えば、固体光源１０２の熱管理は、絶縁層１０６の選択によって調整されてもよい。更に、所望の絶縁特性を実現する又は向上させるために、追加の層が使用されてもよい。
【００５４】
また、ドライバ１２４は変更されてもよい。ドライバ１２４は、照明器具１３０の外側に配置され、電気ケーブルによって照明器具１３０に接続されてもよい。更に、複数の照明器具１３０に給電するために、単一のドライバ１２４が使用されてもよい。同じ照明器具１３０内に複数の固体光源１０２がある場合、一部の固体光源１０２が、ドライバ１２４によって給電されてもよく、他の固体光源１０２が、別のドライバ１２４、又は複数の、若しくは他のドライバ１２４によって給電されてもよい。
【００５５】
それゆえ、本発明を、特定の例示的実施形態を参照して説明してきたが、多くの様々な変更形態、修正形態などが当業者には明らかとなるであろう。図面、本開示、及び添付の請求項の検討によって、特許請求される発明を実施する際に、開示された実施形態に対する変形形態が当業者によって理解され実行され得る。更には、請求項では、単語「備える（comprising）」は他の要素又はステップを排除するものではなく、不定冠詞「１つの（a）」又は「１つの（an）」は複数を排除するものではない。
【要約】
本発明は、光ガイドパネル１２０を支持するためのフレーム１００に関する。フレーム１００には、電気絶縁性外周縁部分１０４ａを含む回路基板１０４に接続され、回路基板１０４上に配置された固体光源１０２と、回路基板１０４の表面積よりも大きい表面積を有する電気絶縁性の絶縁層１０６とが設けられており、絶縁層１０６は、フレーム１００上に配置されており、回路基板１０４は、絶縁層１０６の絶縁性外周縁部分１０６ａが回路基板１０６の外側に形成されるように、絶縁層１０６上に配置されており、それにより、フレーム１００に対する固体光源１０２の二重絶縁をもたらす。本発明はまた、フレーム１００を備える照明器具１３０に関する。【図１】
0006663087.tif 000002
【図２ａ】
0006663087.tif 000003
【図２ｂ】
0006663087.tif 000004
【図２ｃ】
0006663087.tif 000005
【図３】
0006663087.tif 000006